(57)【要約】【課題】  調理庫への受皿の出し入れの際に不快音が発生するのを防止することができ、また、受皿に敷かれたアルミホイールが浮き上るのを防止することのできるグリル用焼き網、及びこの焼き網を備えた加熱調理器を提供する。【解決手段】  線材をほぼコ字状に折曲げた上枠１７、この上枠１７の両自由端を下方に折曲げた縦枠１８、縦枠１８の下端部を上枠１７とほぼ平行に後方に折曲げた脚部１９、及び縦枠１８の近傍において上枠１７の間に取付けた前枠２０からなる枠体１６と、上枠１７に所定の間隔で複数本の線材を取付けて形成した網部２４と、前枠２０とほぼ同じ長さの下枠２２及び下枠２２の両端部を縦枠１８とほぼ同じ長さで上方に折曲げた取付部２３からなる補強枠２１とを有し、この補強枠２１の取付部２３の上端部を上枠１７に取付けた。【選択図】図３
2006068265.tif 000002
【特許請求の範囲】
【請求項１】
線材をほぼコ字状に折曲げた上枠、該上枠の両自由端を下方に折曲げた縦枠、該縦枠の下端部を前記上枠とほぼ平行に後方に折曲げた脚部、及び前記縦枠の近傍において前記上枠の間に取付けた前枠からなる枠体と、
前記上枠に所定の間隔で複数本の線材を取付けて形成した網部と、
前記前枠とほぼ同じ長さの下枠及び該下枠の両端部を前記縦枠とほぼ同じ長さで上方に折曲げた取付部からなる補強枠とを有し、
該補強枠の取付部の上端部を前記上枠に取付けたことを特徴とするグリル用焼き網。
【請求項２】
前記枠体の縦枠の近傍において前記脚部間に第２の前枠を取付けると共に、前記脚部の後端部を互いに内側に折曲げたことを特徴とする請求項１記載のグリル用焼き網。
【請求項３】
前記枠体の縦枠の近傍において前記脚部の間に第２の前枠を取付けると共に、前記脚部の後端部間に後枠を取付けたことを特徴とする請求項１記載のグリル用焼き網。
【請求項４】
前記枠体の縦枠の近傍において前記脚部の間に第２の前枠を取付けると共に、前記上枠の後部側に第２の補強枠を取付けたことを特徴とする請求項１記載のグリル用焼き網。
【請求項５】
前記補強枠の下枠を、波形状に形成し、又は台形部若しくは矩形部あるいは円弧部を互いに反対方向に連続して形成したことを特徴とする請求項１〜４のいずかに記載のグリル用焼き網。
【請求項６】
グリルに前記請求項１〜５のいずれかに記載のグリル用焼き網を備えたことを特徴とする加熱調理器。
【発明の詳細な説明】
【技術分野】
【０００１】
本発明は、受皿に収容して被調理物を載置し、グリル内に挿入して加熱調理するためのグリル用焼き網、及びこの焼き網を備えた加熱調理器に関するものである。
【背景技術】
【０００２】
従来のこの種のグリル用焼き網（以下、焼き網という）に、１本の枠材をほぼコ字状に折曲げてその前後方向に所定の間隔で複数本の線材が取付けられた網部と、上記枠材の自由端（前部側）を下方に折曲げたのち網部とほぼ平行に後方に折曲げて形成した脚部とからなるものがある。
そして、受皿に収容した焼き網の網部上に魚等の被調理物を載置し、受皿を調理庫内に挿入して調理庫の天面に設けたヒータと、受皿と焼き網の網部との間に位置する下部ヒータとにより被調理物を加熱調理するようになっている（例えば、特許文献１参照）。
【０００３】
【特許文献１】特開２００４−１０５３８０号公報（第４−５頁、図５、６）
【発明の開示】
【発明が解決しようとする課題】
【０００４】
特許文献１の焼き網は、網部に被調理物を載置するとその重量によって後部側が下降して変形し、下ヒータに接触するおそれがあった。
また、受皿に焼き網を収容した場合、両者の前後にすき間が形成されるため、調理庫に受皿を出し入れする場合、焼き網が受皿上を滑って受皿に衝突し、不快音を発することがあり、これを防止するため両者のすき間を小さくすると、焼き網が受皿に衝突してその反力により受皿から飛び出すことがあるため、好ましくなかった。
【０００５】
さらに、水無しグリルの場合は、被調理物からの油受けのために、受皿にアルミホイールを敷いてその上に焼き網を載置しているが、調理中にアルミホイールが浮き上って変形し、ヒータに接触するなどの不具合を生じることがあった。
【０００６】
本発明は、上記の課題を解決するためになされたもので、調理庫への受皿の出し入れの際に不快音が発生するを防止することができ、また、受皿に敷かれたアルミホイールが浮き上って変形するのを防止することのできるグリル用焼き網及びこの焼き網を備えた加熱調理器を提供することを目的としたものである。
【課題を解決するための手段】
【０００７】
本発明に係るグリル用焼き網は、線材をほぼコ字状に折曲げた上枠、該上枠の両自由端を下方に折曲げた縦枠、該縦枠の下端部を前記上枠とほぼ平行に後方に折曲げた脚部、及び前記縦枠の近傍において前記上枠の間に取付けた前枠からなる枠体と、前記上枠に所定の間隔で複数本の線材を取付けて形成した網部と、前記前枠とほぼ同じ長さの下枠及び該下枠の両端部を前記縦枠とほぼ同じ長さで上方に折曲げた取付部からなる補強枠とを有し、該補強枠の取付部の上端部を前記上枠に取付けたものである。
【０００８】
また、本発明に係る加熱調理器は、グリルに上記グリル用焼き網を備えたものである。
【発明の効果】
【０００９】
本発明に係る焼き網によれば、調理庫から受皿を出し入れする際に焼き網が受皿に衝突して不快音が発生するのを防止することができ、また、受皿にアルミホイールを敷いて調理を行う場合には、補強枠によりアルミホイールを押えることができるので、アルミホイールの浮き上りを防止することができる。
また、グリルに上記の焼き網を備えた加熱調理器によれば、上記と同様の効果が得られるので、使い勝手がよく、信頼性を高めることができる。
【発明を実施するための最良の形態】
【００１０】
図１は本発明の一実施の形態に係る加熱調理器のグリルの受皿を引き出した状態を示す斜視図、図２は図１の受皿を調理庫内に収容した状態の平面図、右側面図及び下面図である。なお、図１においては、ヒータを省略してあり、図２では受皿のドアを省略してある。
【００１１】
加熱調理器１は、上部が開口された箱状の本体部２と、周囲に枠材４が設けられ、本体部２の上部開口部を覆って着脱可能に装着されたトッププレートの３とからなっている。そして、トッププレート３上には、調理鍋等を載置する載置部５ａ，５ｂ，５ｃが表示されており、また、火力表示部６ａ，６ｂ，６ｃ等が設けられている。
また、本体部２内には、トッププレート３の載置部５ａ〜５ｃに対応して電磁誘導加熱コイルやヒータなどの加熱部が設置されており、さらに、これらの制御部、さらには加熱部や制御部を冷却する冷却ファンなどが設けられている。
【００１２】
７は本体部２の前面側に設けられた電源スイッチ等を有する操作部、１０は操作部７に隣接して本体部２の前面側に設けられたグリルである。このグリル１０を構成する調理庫１１の天面には上ヒータが設けられており（図示ぜす）、下部には、底部とすき間を隔ててほぼＷ字状に形成された下ヒータ１２が設けられている。１２ａ，１２ｂは下ヒータ１２の電源端子である。
１３はグリル１０の調理庫１１に出し入れ可能に設けられた引き出し式の受皿で、その前面側には調理庫１１の開口部を閉塞するドア１４が設けられている。１５は受皿１３に収容され、被調理物が載置される焼網である。
【００１３】
図３は焼き網１５の斜視図である。この焼き網１５は、例えば比較的太い１本の線材をほぼコ字状に折曲げて上枠１７を形成したのち、その前部の自由端（以下、図の左側を前、右側を後という）の両側を下方に折曲げて縦枠１８を形成し、さらにその下部を後方に上枠１７とほぼ平行に折曲げて脚部１９を形成し、上枠１７の前部側に前枠２０を溶接により接合して枠体１６を構成する。
【００１４】
また、前枠２０の長さとほぼ等しい長さの下枠２２と、その両端部を縦枠１８とほぼ同じ長さで上方に折曲げた取付部２３とからなり、ほぼコ字状に形成された補強枠２１の取付部２３の上端部を、上枠１７の前後方向のほぼ中間部において、上枠１７に溶接により接合する。そして、上枠１７の後部側と前枠２０との間に、例えば枠体１６より細い複数本の線材を、所定の間隔で溶接により接合して網部２４を形成したものである。なお、枠体１６の縦枠１８と補強枠２１の取付部２３の高さはほぼ等しく、かつ補強枠２１の下枠２２と網部２４との間は、下ヒータ１２が挿入しうるように十分な高さに選ばれている（図２参照）。
【００１５】
上記のように構成した焼き網１５は、例えば、アルミホイール（図示せず）が敷かれた受皿１３上に収容され、網部２４上に魚等の被調理物が載置される。このとき、アルミホイールは、脚部１９と補強枠２１の下枠２２によって押えられるので、アルミホイールが浮き上って変形することがない。また、被調理物が重い場合でも、網部２４は補強枠２１によって補強されているので、変形することはない。
【００１６】
調理庫１１から引き出され、アルミホイールの上に焼き網１５が収容されて被調理物が載置された受皿１３は、ドア１４を押して調理庫１１内に収納される。このとき、被調理物の上には調理庫１１の天面に設けた上ヒータが対向し、被調理物の下には受皿１３と焼き網１５との間に位置する下ヒータ１２が対向する。
そして、操作部７でグリル１０の電源を投入し、必要に応じてタイマーを設定すれば、被調理物は上ヒータと下ヒータ１２によって加熱され、調理される。このとき、被調理物から滴下する油はアルミホイールによって受けられる。また、アルミホイールは焼き網１５の脚部１９や補強枠２１の下枠２２によって押えられているので、浮き上ることがなく、このため下ヒータ１２に接触することもない。
【００１７】
図４〜図１０は本発明に係る焼き網の他の例を示す斜視図である。
図４の焼き網１５は、図３の焼き網１５の脚部１９の後端部を互いに内側にほぼ直角に折曲げて当接部１９ａを形成すると共に、両脚部１９の前面側に第２の前枠２５を溶接により接合したものである。
このように構成することにより、アルミホイールが敷かれた受皿１３内に焼き網１５を収容すると、脚部１９、脚部１９の当接部１９ａ、補強枠２１の下枠２２及び第２の前枠２５でアルミホイールを押えることができるので、アルミホイールの浮き上りをより確実に防止することができる。
【００１８】
図５の焼き網１５は、図４の焼き網１５の脚部１９の後端部に設けた当接部１９ａに代えて、両脚部１９の後端部間に後枠２６を溶接により接合したものであり、このように構成したことにより、アルミホイールの浮き上りを防止できると共に、焼き網１５の剛性を高めることができる。
また、図６の焼き網１５は、図５の焼き網１５の補強枠２１の下枠２２ａを波形に形成してアルミホイールに広範囲に当接させ、接触面積を高めたものである。
【００１９】
図７の焼き網１５は、図６の焼き網１５の後枠２６を省略し、図３の焼き網１５の補強枠２１と同じ構造の第２の補強枠２１ａの取付部２３を、上枠１７の後部側に溶接により接合したものである。
また、図８の焼き網１５は、図７の焼き網１５の補強枠２１の波形の下枠２２ａに代えて、補強枠２１の下枠２２ｂを台形部を互いに反対方向に連続させて形成したものである。なお、下枠２２ｂを台形部に代えて矩形部を互いに反対方向に連続させてもよい。
図７、図８の焼き網１５においても、図３〜図６の焼き網１５と同様の効果を得ることができる。
【００２０】
図９の焼き網１５は、図３〜図８の焼き網１５の補強枠２１の下枠２２ｃを、互いに反対方向に連続した円弧部で形成したものである。
図１０の焼き網１５は、補強枠２１の下枠２２ｄを、中央に大きな円弧部を形成すると共に、その両端に連続しかつ反対方向に小さい円弧部を設けて形成したものである。
図９、図１０の焼き網１５においても、図３〜図８の焼き網１５と同様の効果を得ることができる。
【００２１】
以上、本発明に係る各種の焼き網について説明したが、本発明はこれに限定するものではなく、図３〜図１０に示した焼き網１５を適宜組合わせて焼き網を形成してもよい。
また、補強枠２１を枠体１６の前後方向に１個又は２個設けた場合を示したが、３個以上設けてもよい。さらに、枠体１６の上枠１７の前後方向に複数本の線材を取付けて網部２４を形成した場合を示したが、複数本の線材を上枠１７の左右方向に取付けて網部２４を形成してもよい。
【００２２】
また、上記の説明では、受皿１３にアルミホイールを敷いて被調理物を調理する水無しグリルに本発明に係る焼き網１５を用いた場合を示したが、受皿に水を入れて被調理物を調理するグリルの場合にも本発明に係る焼き網１５を使用することができる。
【００２３】
上記のように構成した本発明に係る焼き網によれば、受皿１３を出し入れする際に焼き網１５が受皿１３に衝突して不快音が発生するのを防止することができる。また、受皿１３にアルミホイールを敷いて調理を行う場合は、補強枠２１によりアルミホイールを押えることができるので、アルミホイールの浮き上りを押えて、下ヒータ１２に接触するのを防止することができる。
さらに、加熱調理器のグリル１０に上記の焼き網１５を使用した場合は、不快音の発生やアルミホイールの浮き上りを防止できるので、使い勝手がよく、信頼性を高めることができる。なお、図１には本発明に係る焼き網１５を卓上型の加熱調理器１のグリルに使用した場合を示したが、流し台に組込んだ加熱調理器の場合も全く同様である。
【図面の簡単な説明】
【００２４】
【図１】本発明の一実施の形態に係る加熱調理器のグリルの受皿を引出した状態を示す斜視図である。
【図２】図１の受皿のドアを省略した状態を示す平面図、右側面図及び下面図である。
【図３】図１の焼き網の斜視図である。
【図４】本発明に係る焼き網の他の例の斜視図である。
【図５】本発明に係る焼き網の他の例の斜視図である。
【図６】本発明に係る焼き網の他の例の斜視図である。
【図７】本発明に係る焼き網の他の例の斜視図である。
【図８】本発明に係る焼き網の他の例の斜視図である。
【図９】本発明に係る焼き網の他の例の平面図である。
【図１０】本発明に係る焼き網の他の例の平面図である。
【符号の説明】
【００２５】
１  加熱調理器、２  本体部、３  トッププレート、７  操作部、１０  グリル、１１  調理庫、１２  下ヒータ、１３  受皿、１５  焼き網、１６  枠体、１７  上枠、１８  縦枠、１９  脚部、２０  前枠、２１  補強枠、２１ａ  第２の補強枠、２２  下枠、２３  取付部、２４  網部、２５  第２の前枠、２６  後枠。
【図１】
2006068265.tif 000003
【図２】
2006068265.tif 000004
【図３】
2006068265.tif 000005
【図４】
2006068265.tif 000006
【図５】
2006068265.tif 000007
【図６】
2006068265.tif 000008
【図７】
2006068265.tif 000009
【図８】
2006068265.tif 000010
【図９】
2006068265.tif 000011
【図１０】
2006068265.tif 000012